【手続補正書】
【提出日】平成28年7月8日(2016.7.8)
【手続補正１】
【補正対象書類名】明細書
【補正対象項目名】発明の名称
【補正方法】変更
【補正の内容】
【発明の名称】光学機器
【手続補正２】
【補正対象書類名】明細書
【補正対象項目名】０００１
【補正方法】変更
【補正の内容】
【０００１】
本発明は、撮影レンズ鏡筒を備えるフィルムカメラやデジタルカメラ等の光学機器に関する。
【手続補正３】
【補正対象書類名】明細書
【補正対象項目名】０００７
【補正方法】変更
【補正の内容】
【０００７】
本発明は、大型化させることなく、落下等に対する耐衝撃性を向上させた光学機器を提供することを目的とする。
【手続補正４】
【補正対象書類名】明細書
【補正対象項目名】０００８
【補正方法】変更
【補正の内容】
【０００８】
本発明に係る光学機器は、第１のレンズを保持し、フォロワピンが径方向に突出形成されたレンズ保持部材と、前記レンズ保持部材の外側に配置され、前記フォロワピンと係合するカム溝が形成されたカム部材と、前記レンズ保持部材より像面側に配置され、光軸方向に移動する第１の移動部材と、前記第１の移動部材より像面側に配置され、前記光軸方向に移動する第２の移動部材と、を備える光学装置であって、前記第１の移動部材には、第１の部分が形成され、前記第２の移動部材には、第２の部分が形成され、前記第１の移動部材および第２の移動部材が前記光軸方向に移動する際に、前記光学装置は、前記フォロワピンの内側に前記第１の部分が位置する第１の状態と前記フォロワピンの内側に前記第２の部分が位置する第２の状態との間で切り換わることを特徴とする。
【手続補正５】
【補正対象書類名】明細書
【補正対象項目名】０００９
【補正方法】変更
【補正の内容】
【０００９】
本発明によれば、光学機器を大型化させることなく、落下等の耐衝撃性向上させることができる。
【手続補正６】
【補正対象書類名】明細書
【補正対象項目名】００２０
【補正方法】変更
【補正の内容】
【００２０】
ベース部材８２には、フォロワピン７ａと略同一位相で、外径よりも外側に突出する第２の突起部８ｂが、６箇所に設けられている。図４に示されるように、第２の突起部８ｂは、第１の突起部８ａの撮像面側に位置しており、６箇所の第１の突起部８ａと６箇所の第２の突起部８ｂは、径方向外側に突出量Ｒ１で突出しているが、光軸方向において段差が無く、滑らかにつながっている。
【手続補正７】
【補正対象書類名】明細書
【補正対象項目名】００２１
【補正方法】変更
【補正の内容】
【００２１】
２群鏡筒９は、防振機構とシャッタ機構を有している。２群鏡筒９は、被写体側に配置され、防振機構の位置センサを保持する保持部材９１と、撮像面側に配置され、カム環１０のカム溝と係合する３箇所のフォロワ部９ｃを有するベース部材９２とで構成される。保持部材９１とベース部材９２とは、不図示の防振レンズ等を挟んだ状態で、スナップフィット等の弾性部材による締結によって固定されている。２群鏡筒９は、ベース部材９２から撮像面側に突出するように形成された５箇所の突起部９ａと、保持部材９１から撮像面側に突出するように形成された１箇所の突起部９ａからなる、計６つの第３の突起部９ａ有する。６箇所の第３の突起部９ａのうち３箇所は、１群鏡筒７の１２０°等分で３箇所に設けられているフォロワピン７ａと略同一位相に配置され、これら３箇所の第３の突起部９ａと光軸を挟んで対向する位置に残りの３つの第３の突起部９ａが配置されている。つまり、６箇所の第３の突起部９ａも、６０°等分で等間隔に設けられている。
【手続補正８】
【補正対象書類名】明細書
【補正対象項目名】００２２
【補正方法】変更
【補正の内容】
【００２２】
保持部材９１には、フォロワピン７ａと同様の位相で、外径よりも外側に突出する第４の突起部９ｂが６箇所に設けられている。図５に示されるように、第４の突起部９ｂは、第３の突起部９ａの被写体側に位置しており、６箇所の第３の突起部９ａと６箇所の第４の突起部９ｂは、径方向外側に突出量Ｒ２で突出しているが、光軸方向において段差が無く、滑らかにつながっている。
【手続補正９】
【補正対象書類名】明細書
【補正対象項目名】００２８
【補正方法】変更
【補正の内容】
【００２８】
撮影レンズ鏡筒２は、図６に示す沈胴状態では、カメラ本体１に対して完全に繰り込んでいる。そのため、落下等により撮影レンズ鏡筒２に衝撃が加わっても、撮影レンズ鏡筒２の一部が直接に衝撃を受けることはない。前述したように、１群鏡筒７においてフォロワピン７ａの径方向内側には直進筒１１があり、更にその径方向内側に２群鏡筒９において撮像面側に突出するように設けられた第３の突起部９ａが位置している。また、フォロワピン７ａと同位相に絞りユニット８の第１の突起部８ａと２群鏡筒９の第３の突起部９ａが配置されているため、フォロワ直下とその対向する位置には光軸方向に連続する受け部がつながっている。そのため、仮に撮影レンズ鏡筒２の一部が直接に衝撃を受けたとしても、各部品間にずれや脱落が生じることはない。
【手続補正１０】
【補正対象書類名】明細書
【補正対象項目名】００２９
【補正方法】変更
【補正の内容】
【００２９】
図７に示すように、撮像装置１００の電源がＯＮされて撮影レンズ鏡筒２が繰り出されると、１群鏡筒７に保持されている１群撮影レンズＬ１と２群鏡筒９に保持されている２群撮影レンズＬ２が、光軸方向に広い間隔を保って維持される。３群鏡筒１２が保持する３群撮影レンズＬ３を含めた、本実施形態のような３群タイプの光学レンズ系では、レンズスペックを上げるためにズーム倍率を稼ごうとすると、ＷＩＤＥ位置で１群撮影レンズＬ１と２群撮影レンズＬ２とがより離れるように構成される。つまり、カム環１０に切られているカム溝とＷＩＤＥ位置にある１群鏡筒７との係合部はより被写体側に位置し、ＷＩＤＥ位置にある２群鏡筒９との係合部はより撮像面側に位置して、絞りユニット８も２群鏡筒９とほぼ同じ動きをする。そのため、１群鏡筒７のフォロワピン７ａの内側には、構造物が無くなる可能性が高くなる。
【手続補正１１】
【補正対象書類名】明細書
【補正対象項目名】００３０
【補正方法】変更
【補正の内容】
【００３０】
このような状態において前方（被写体側）から衝撃が加わったときの耐衝撃性について検討する。図８に示す参考例に係る撮影レンズ鏡筒では、１群鏡筒７のフォロワピン７ａを直進筒１１の先端でしか受けていない。つまり、径方向において、絞りユニット８´が直進筒１１を介してフォロワピン７ａを受ける構造とはなっていない。この場合、前方（被写体側）から衝撃が加わると、カム環１０のカム溝１０ａの被写体側テーパー部によって、１群鏡筒７のフォロワピン７ａが径方向内側に入り込み、カム溝１０ａから脱落してしまう可能性が高く、一度、フォロワピン７ａが脱落すると、通常動作では復帰できずにレンズエラーとなる。このようになってしまうと、ユーザはどうすることもできなくなり、例えば、メーカのサービスステーションに修理を依頼する等の対応が必要となる。
【手続補正１２】
【補正対象書類名】明細書
【補正対象項目名】００３３
【補正方法】変更
【補正の内容】
【００３３】
図９に示すように、撮影レンズ鏡筒２がＴＥＬＥ位置まで繰り出されると、１群鏡筒７に保持されている１群撮影レンズＬ１と２群鏡筒９に保持されている２群撮影レンズＬ２とが、光軸方向に間隔を限りなく縮めて維持される。前述のＷＩＤＥ側での問題は、ＴＥＬＥ側でも同様であり、３群タイプの光学レンズ系においては、レンズスペックを上げるためにズーム倍率を稼ごうとすると、ＴＥＬＥ位置で１群撮影レンズＬ１と２群撮影レンズＬ２とをより近付けるように構成される。つまり、カム環１０に切られているカム溝とＴＥＬＥ位置にある１群鏡筒７との係合部及びＴＥＬＥ位置にある２群鏡筒９との係合部は、被写体側の位置で隣接しており、絞りユニット８も２群鏡筒９とほぼ同じ動きをする。そのため、１群鏡筒７の内側に絞りユニット８と２群鏡筒９とが入り込んで密集し、フォロワピン７ａの内側には構造物が無くなる可能性が高くなる。
【手続補正１３】
【補正対象書類名】明細書
【補正対象項目名】００３４
【補正方法】変更
【補正の内容】
【００３４】
このような状態において前方（被写体側）から衝撃が加わったときの耐衝撃性について検討する。図１０に示す参考例に係る撮影レンズ鏡筒では、１群鏡筒７のフォロワピン７ａを直進筒１１の先端でしか受けていない構造となっている。つまり、径方向において、２群鏡筒９´が直進筒１１を介してフォロワピン７ａを受ける構造とはなっていない。この場合、ＷＩＤＥ側の場合と同様に、前方（被写体側）から衝撃が加わると、カム環１０のカム溝１０ａの被写体側テーパー部によって、１群鏡筒７のフォロワピン７ａが径方向内側に入り込み、カム溝１０ａから脱落してしまう可能性が高い。
【手続補正１４】
【補正対象書類名】明細書
【補正対象項目名】００３８
【補正方法】変更
【補正の内容】
【００３８】
撮影レンズ鏡筒２では、ＷＩＤＥ位置において衝撃時に１群鏡筒７のフォロワピン７ａが径方向の内側に入り込んでカム環１０のカム溝１０ａから脱落しようとするのを、その径方向内側に配置される直進筒１１を介して更にその径方向内側で絞りユニット８の第１の突起部８ａが受ける構成とすることで防止した（図７参照）。これに対して、撮影レンズ鏡筒２Ａでは、図１１に示されるように、１群鏡筒７のフォロワピン７ａをその径方向内側で絞りユニット８の第１の突起部８ａが直接受ける構成としている。そのため、第１の突起部８ａが無く、１群鏡筒７のフォロワピン７ａを受ける部材が何も無い構成よりも、耐衝撃性を高めることができる。
【手続補正１５】
【補正対象書類名】明細書
【補正対象項目名】００３９
【補正方法】変更
【補正の内容】
【００３９】
また、撮影レンズ鏡筒２では、ＴＥＬＥ位置において衝撃時に１群鏡筒７のフォロワピン７ａが径方向の内側に入り込んでカム環１０のカム溝１０ａから脱落しようとするのを、その径方向内側に配置される直進筒１１を介して更にその径方向内側で２群鏡筒９の第３の突起部９ａが受ける構成とすることで防止した（図９参照）。これに対して、撮影レンズ鏡筒２Ａでは、図１２に示されるように、１群鏡筒７のフォロワピン７ａをその径方向内側で２群鏡筒９の第３の突起部９ａが直接受ける構成としている。そのため、第３の突起部９ａが無く、１群鏡筒７のフォロワピン７ａを受ける部材が何も無い構成よりも、耐衝撃性を高めることができる。
【手続補正１６】
【補正対象書類名】特許請求の範囲
【補正対象項目名】全文
【補正方法】変更
【補正の内容】
【特許請求の範囲】
【請求項１】
第１のレンズを保持し、フォロワピンが径方向に突出形成されたレンズ保持部材と、
前記レンズ保持部材の外側に配置され、前記フォロワピンと係合するカム溝が形成されたカム部材と、
前記レンズ保持部材より像面側に配置され、光軸方向に移動する第１の移動部材と、
前記第１の移動部材より像面側に配置され、前記光軸方向に移動する第２の移動部材と、を備える光学装置であって、
前記第１の移動部材には、第１の部分が形成され、
前記第２の移動部材には、第２の部分が形成され、
前記第１の移動部材および第２の移動部材が前記光軸方向に移動する際に、前記光学装置は、前記フォロワピンの内側に前記第１の部分が位置する第１の状態と前記フォロワピンの内側に前記第２の部分が位置する第２の状態との間で切り換わることを特徴とする光学装置。
【請求項２】
前記第１の部分は、前記第１の移動部材から被写体側に突出するように形成され、
前記第２の部分は、前記第２の移動部材から像面側に突出形成されることを特徴とする請求項１に記載の光学装置。
【請求項３】
前記カム部材が回転される際に、前記レンズ保持部材、前記第１の移動部材および前記第２の移動部材が前記光軸方向に直進するように、前記レンズ保持部材、前記第１の移動部材および前記第２の移動部材をガイドするガイド部材を更に備え、
前記第１の部分および前記第２の部分は、前記フォロワピンが形成される位相と同位相となる位置にそれぞれ形成されるものを含むことを特徴とする請求項２に記載の光学装置。
【請求項４】
前記ガイド部材は、前記フォロワピンと前記第１の部分との間に前記ガイド部材の少なくとも一部が位置するように前記光学装置に配置されることを特徴とする請求項３に記載の光学装置。
【請求項５】
前記ガイド部材は、前記フォロワピンの外側に前記ガイド部材の少なくとも一部が位置するように前記光学装置に配置されることを特徴とする請求項３に記載の光学装置。
【請求項６】
光量調整ユニットおよび第２のレンズを更に備え、
前記第１の移動部材は、前記光量調整ユニットを保持し、
前記第２の移動部材は、前記前記第２のレンズを保持することを特徴とする請求項１乃至５のいずれか１項に記載の光学装置。
【請求項７】
前記第１の部分および前記第２の部分は、前記フォロワピンが形成される位相と１８０度位相が異なる位置にそれぞれ形成されるものを含むことを特徴とする請求項３乃至６のいずれか１項に記載の光学装置。
【請求項８】
前記第１の状態は、前記レンズ保持部材がＷＩＤＥ位置にある状態であり、
前記第２の状態は、前記レンズ保持部材がＴＥＬＥ位置にある状態であることを特徴とする請求項３乃至７のいずれか１項に記載の光学装置。